(57)【要約】【課題】タオルバーを例えば洗面化粧台下部のキャビネット前面にビス固定により取り付けるタオルバーの取付構造において、安価な軟質性樹脂材料を用いてブロー成型によりタオルバー本体を形成した場合であっても、タオルバーを壁面に容易で確実に取り付けできるタオルバーの取付構造を提供すること。【解決手段】略コ字型のタオルバー本体２の両端部に膨出部４を延設してタオルバー１を形成し、この膨出部４を内部に収納保持可能な収納体５を形成し、この収納体５を膨出部４に側方より嵌着可能に縦割り分割した一対の取付部材７から形成し、この取付部材７を膨出部４に両側方より嵌合させて膨出部４を収納体５に収納した状態で取付部材７を壁面１４に固着することにより、タオルバー１を壁面１４に取り付ける。【選択図】  図１
2004254868.tif 000002
【特許請求の範囲】
【請求項１】
略コ字型のタオルバー本体の両端部に膨出部を延設してタオルバーを形成し、この膨出部を内部に収納保持可能な収納体を形成し、この収納体を膨出部に側方より嵌着可能に縦割り分割した一対の取付部材から形成し、この取付部材を膨出部に両側方より嵌合させて膨出部を収納体に収納した状態で取付部材を壁面に固着することにより、タオルバーを壁面に取り付けることを特徴とするタオルバーの取付構造。
【請求項２】
棒状のタオルバー本体の両端部をそれぞれ拡幅して膨出部となしたことを特徴とする請求項１記載のタオルバーの取付構造。
【請求項３】
棒状のタオルバー本体の両端部近傍にそれぞれ短手方向に周溝を設け、この周溝より先端側を膨出部となしたことを特徴とする請求項１記載のタオルバーの取付構造。
【請求項４】
略半円筒体を設け、この略半円筒体上端部の内周壁に突片を突設するとともに、略半円筒体下端部の外周壁にフランジ片を突設し、このフランジ片に壁面にビス固定するための取付孔を設けて取付部材を形成してなることを特徴とする請求項１乃至３のいずれかに記載のタオルバーの取付構造。
【請求項５】
一対の取付部材を膨出部に嵌合させたときに各フランジ片の一部が上下に重なるように形成し、取付孔をこの上下に重なる部分に設けてなることを特徴とする請求項４記載のタオルバーの取付構造。
【発明の詳細な説明】
【０００１】
【発明の属する技術分野】
本発明は、洗面化粧台などの水周り設備の壁面に取り付けられるタオルバーの取付構造に関する。
【０００２】
【従来の技術】
従来、タオルバーを洗面化粧台下部のキャビネット前面にビス固定により取り付けるタオルバーの取付構造が知られている。このタオルバーは、略コ字型のタオルバー本体の両端に取付孔を有する取付板を設けて形成されており、取付孔にビスを貫通させ、ビスをキャビネット前面の幕板にねじ込むことにより、キャビネットに取り付けられるものである。この場合、タオルバー本体や取付板は、比較的硬質の樹脂材料や金属材料まどから形成され、取付板はタオルバー本体と一体成型されるかビス固定などにより、タオルバー本体と一体に形成されることが多い。（実公平７−３６５５５号公報参照）
【０００３】
【特許文献１】
実公平７−３６５５５号公報
【０００４】
【発明が解決しようとする課題】
しかしながら上記従来のタオルバーの取付構造では、タオルバー本体を安価にするためＰＰなどの軟質性樹脂材料を用いてブロー成型により形成するときなど、取付板とタオルバー本体とが一体成型される場合には、取付板にドリルなどを用いて取付孔を後加工する必要があるが、取付板が軟質材料のためドリル加工により溶けた軟質材料がドリルに巻きつき孔加工しくいという問題がある。
【０００５】
また取付孔を有する硬質樹脂材料の取付板を軟質材料のタオルバー本体にビス固定する場合には、ビスのねじ込みによりタオルバー本体が変形しビス固定しにくいという問題がある。
【０００６】
本発明は、上記事由に鑑みてなされたものであり、その目的は、安価な軟質性樹脂材料を用いてブロー成型によりタオルバー本体を形成した場合であっても、タオルバーを壁面に容易で確実に取り付けできるタオルバーの取付構造を提供することにある。
【０００７】
【課題を解決するための手段】
請求項１記載の発明は、略コ字型のタオルバー本体の両端部に膨出部を延設してタオルバーを形成し、この膨出部を内部に収納保持可能な収納体を形成し、この収納体を膨出部に側方より嵌着可能に縦割り分割した一対の取付部材から形成し、この取付部材を膨出部に両側方より嵌合させて膨出部を収納体に収納した状態で取付部材を壁面に固着することにより、タオルバーを壁面に取り付けることを特徴として構成している。
【０００８】
このようなタオルバーの取付構造では、略コ字型のタオルバー本体の両端部に膨出部を延設してタオルバーを形成し、この膨出部を内部に収納保持可能な収納体を形成し、この収納体を膨出部に側方より嵌着可能に縦割り分割した一対の取付部材から形成し、この取付部材を膨出部に両側方より嵌合させて膨出部を収納体に収納保持した状態で取付部材を壁面に固着することにより、タオルバーを壁面に取り付けるため、安価な軟質性樹脂材料を用いてブロー成型によりタオルバーを形成しても、タオルバーを直接壁面にビス固定しているわけではないので、タオルバーの壁面への取付が容易なものとなっている。
【０００９】
また請求項２記載の発明は、請求項１記載の発明において、棒状のタオルバー本体の両端部をそれぞれ拡幅して膨出部となしたことを特徴として構成している。
【００１０】
このようなタオルバーの取付構造では、棒状のタオルバー本体の両端部をそれぞれ拡幅することにより、簡単に膨出部を形成できる。
【００１１】
また請求項３記載の発明は、請求項１記載の発明において、棒状のタオルバー本体の両端部近傍にそれぞれ短手方向に周溝を設け、この周溝より先端側を膨出部となしたことを特徴として構成している。
【００１２】
このようなタオルバーの取付構造では、棒状のタオルバー本体の両端部近傍にそれぞれ短手方向に周溝を設けることにより、簡単に膨出部を形成できる。
【００１３】
また請求項４記載の発明は、請求項１乃至３のいずれかに記載の発明において、略半円筒体を設け、この略半円筒体上端部の内周壁に突片を突設するとともに、略半円筒体下端部の外周壁にフランジ片を突設し、このフランジ片に壁面にビス固定するための取付孔を設けて取付部材を形成してなることを特徴として構成している。
【００１４】
このようなタオルバーの取付構造では、略半円筒体上端部の内周壁に突片を突設するとともに、略半円筒体下端部の外周壁にフランジ片を突設し、このフランジ片に壁面にビス固定するための取付孔を設けて取付部材を形成しているため、取付部材の形状が簡単なものになって見栄えもよく、取付部材を樹脂成型などにより簡単に形成できる。
【００１５】
また請求項５記載の発明は、請求項４記載の発明において、一対の取付部材を膨出部に嵌合させたときに各フランジ片の一部が上下に重なるように形成し、取付孔をこの上下に重なる部分に設けてなることを特徴として構成している。
【００１６】
このようなタオルバーの取付構造では、一対の取付部材を膨出部に嵌合させたときに各フランジ片の一部が上下に重なり、この重なった部分に連通する取付孔を介して取付部材を壁面にビス固定できるため、ビスの数を削減することができ、取付施工が簡単なものとなるとともに見栄えが向上している。
【００１７】
【発明の実施の形態】
以下、本発明の実施形態のタオルバーの取付構造を図１乃至図５に基づいて説明する。
【００１８】
図１は、本発明の実施形態のタオルバーの取付構造を示す正面図である。また図２は、同上のタオルバーの取付構造を示す要部の分解斜視図である。また図３は、同上のタオルバーの取付構造を示す要部の縦断面図であり、（ａ）は図１中のＡ−Ａ断面図であり、（ｂ）はＢ−Ｂ断面図である。
【００１９】
図１乃至図３に示すように、このタオルバーの取付構造は、タオルバー１を例えば洗面化粧台下部のキャビネット前面にビス固定により取り付けるものであり、略コ字型のタオルバー本体２の両端部に膨出部４を延設してタオルバー１を形成し、この膨出部４を内部に収納保持可能な収納体５を形成し、この収納体５を膨出部４に側方より嵌着可能に縦割り分割した一対の取付部材７から形成し、この取付部材７を膨出部４に両側方より嵌合させて膨出部４を収納体５に収納した状態で取付部材７を壁面１４に固着することにより、タオルバー１を壁面１４に取り付けている。また、棒状のタオルバー本体２の両端部をそれぞれ拡幅して膨出部４としている。また、略半円筒体８を設け、この略半円筒体８上端部の内周壁に突片９を突設するとともに、略半円筒体８下端部の外周壁にフランジ片１０を突設し、このフランジ片１０に壁面１４にビス固定するための取付孔２８を設けて取付部材７を形成している。また、一対の取付部材７を膨出部４に嵌合させたときに各フランジ片１０の一部が上下に重なるように形成し、取付孔２８をこの上下に重なる部分に設けている。
【００２０】
タオルバー本体２は、ＰＰなどの軟質性樹脂を用いたブロー成型により、直線丸パイプ状のタオル保持部２ａと、このタオル保持部２ａの両端に同方向で平行に垂設された両側片２ｂと、この両側片２ｂ先端に設けた膨出部４とから略コ字型に一体形成されている。膨出部４は、両側片２ｂ長手方向と略直角方向に長手方向を有する略楕円形板状に形成され、その短手方向の外径が両側片２ｂと略同寸に形成されている。
【００２１】
取付部材７は、硬質性の樹脂成型材料などから形成され、略半円筒体８の両側端面のうち一方の上部、および他方の下部にそれぞれ上下のフランジ片１０が延設されて形成されている。この上下のフランジ片１０にはそれぞれ中央部に上下方向の取付孔２８が穿設されている。上側フランジ片１０の取付孔２８は、上部が固定ビス１３の頭部を収納できる外径および深さを有する平面視円形の凹所１１ａと、この凹所１１ａの中央部に設けた貫通孔１１ｂとから形成されている。また下側フランジ片１０の取付孔２８は、上側フランジ片１０の貫通孔１１ｂと略同寸の内径を有している。この上側フランジ片１０の貫通孔１１ｂおよび下側フランジ片１０の取付孔２８の内径は固定ビス１３の脚部がちょうど貫通できる大きさに形成されている。
【００２２】
また、２個の取付部材７を開口部を対向させて両側端面を突き合わせたとき、略円筒状の収納体５を構成しており、一方の取付部材７の上側フランジ片１０と他方の取付部材７の下側フランジ片１０とが上下に重ねられ、各上下フランジ片１０の取付孔２８が上下に連通するようにしている。このとき対向する両突片９間にできる略円形状の開口部はタオルバー本体２の両側片２ｂ外径よりも大きく、膨出部４の長手方向外径よりも小さくなるよう、また、収納体５の両突片９下面と略半円筒体８内面とで囲まれた空間は、タオルバー本体２の膨出部４をちょうど収納できる大きさの収納空間６を形成するよう、取付部材７の各寸法が設定されている。
【００２３】
このようなタオルバーの取付構造では、次のようにしてタオルバー１を壁面１４に取り付けるものである。まずタオルバー１の膨出部４近傍の両側片２ｂに２個の取付部材７の各突片９の凹部を両側方から嵌合させ、両取付部材７の対応する両側端面を突き合わせる。このとき、両取付部材７で構成する収納体５の収納空間６にタオルバー１の膨出部４が収納され、両取付部材７の対応する上下の取付孔２８が連通している。この状態で収納体５の下面を壁面１４の取り付け箇所に当接させ、壁面１４前方より取付孔２８にビス脚部を貫通させ、ビス頭部が取付部材７の凹所１１ａに収納されるまでビスを壁面１４にねじ込む。次にタオルバー１のタオル保持部２ａを水平に保持した状態で、同様に他方の膨出部４を収納体５に収納させ、取付孔２８を介して１対の取付部材７を壁面１４にビス固定する。
【００２４】
このようなタオルバーの取付構造では、略コ字型のタオルバー本体２の両端部に膨出部４を延設してタオルバー１を形成し、この膨出部４を内部に収納保持可能な収納体５を形成し、この収納体５を膨出部４に側方より嵌着可能に縦割り分割した一対の取付部材７から形成し、この取付部材７を膨出部４に両側方より嵌合させて膨出部４を収納体５に収納保持した状態で取付部材７を壁面１４に固着することにより、タオルバー１を壁面１４に取り付けるため、安価な軟質性樹脂材料を用いてブロー成型によりタオルバー１を形成しても、タオルバー１を直接壁面１４にビス固定しているわけではないので、タオルバー１の壁面１４への取付が容易で確実なものとなっている。
【００２５】
また、棒状のタオルバー本体２の両端部をそれぞれ拡幅することにより、簡単に膨出部４を形成できる。また、略半円筒体８上端部の内周壁に突片９を突設するとともに、略半円筒体８下端部の外周壁にフランジ片１０を突設し、このフランジ片１０に壁面１４にビス固定するための取付孔２８を設けて取付部材７を形成しているため、取付部材７の形状が簡単なものになって見栄えもよく、取付部材７を樹脂成型などにより簡単に形成できる。また、一対の取付部材７を膨出部４に嵌合させたときに各フランジ片１０の一部が上下に重なり、この重なった部分に連通する取付孔２８を介して取付部材７を壁面１４にビス固定できるため、ビスの数を削減することができ、取付施工が簡単なものとなるとともに見栄えが向上している。
【００２６】
また、取付部材７を硬質性樹脂の成形により形成しているため、取付孔２８が簡単に形成できるとともに、ビス固定により取付部材７を壁面１４に強固に固着することができる。さらに、収納体５を略円筒状に形成しているため、この対称形状の収納体５を半分に分割形成した２個の取付部材７は略半筒状の同形状に形成できるため、２種類の異なる形状の部品を形成することなく、製造コストの削減や部材管理のし易さの面で向上したものとなっている。
【００２７】
図４は、本発明の実施形態の同上と異なるタオルバーの取付構造を示す要部の分解斜視図である。また図５は、このタオルバーの取付構造を示す要部の縦断面図である。
【００２８】
図４及び図５に示すように、このタオルバーの取付構造は、前述したタオルバーの取付構造と略同様に、略コ字型のタオルバー本体２２の両端部に膨出部２４を延設してタオルバー２１を形成し、この膨出部２４を内部に収納保持可能な収納体２５を形成し、この収納体２５を膨出部２４に側方より嵌着可能に縦割り分割した一対の取付部材２７から形成し、この取付部材２７を膨出部２４に両側方より嵌合させて膨出部２４を収納体２５に収納した状態で取付部材２７を壁面１４に固着することにより、タオルバー２１を壁面１４に取り付けている。異なる点は、棒状のタオルバー本体２２の両端部近傍にそれぞれ短手方向に周溝２３を設け、この周溝２３より先端側を膨出部２４としていることである。
【００２９】
タオルバー２１は、前述したタオルバーの取付構造と略同様に、ＰＰなどの軟質性樹脂を用いたブロー成型により、直線丸パイプ状のタオル保持部２２ａと、このタオル保持部２２ａの両端に同方向で平行に垂設された周溝２３を有する両側片２２ｂとから略コ字型に一体形成されている。膨出部２４は、両側片２２ｂの周溝２３より先端側であり両側片２２ｂと略同寸の外径を有する円柱状に形成されている。
【００３０】
取付部材２７は、硬質性の樹脂成型材料などから形成され、略半円筒体２７ａの内面上端部に半リング状の突片２７ｂが突設され、略半円筒体２７ａの外面下端に外方に向けて半リング状のフランジ片２７ｃが突設されて形成されている。このフランジ片２７ｃには略中央部に上下方向の取付孔２８が穿設されている。この取付孔２８は上部が固定ビス２９の頭部を収納できる外径および深さを有する平面視円形の凹所として設けられ、下部がこの凹所の中央部に設けた貫通孔として形成されている。この貫通孔の内径は固定ビス２９の脚部がちょうど貫通できる大きさに形成されている。また、フランジ片２７ｃは下端周縁部に面取り部３１を有している。
【００３１】
また、２個の取付部材２７を開口部を対向させて両側端面を突き合わせたとき、略円筒状の収納体２５を構成しており、対向する両突片２７ｂ間にできる略円形状の開口部はタオルバー本体２２の周溝２３外径よりも大きく、膨出部２４外径よりも小さくなるよう、また、収納体２５の両突片２７ｂ下面と略半円筒体２７ａ内面とで囲まれた空間は、タオルバー本体２２の膨出部２４をちょうど収納できる大きさの収納空間２６を形成するよう、取付部材２７の各寸法が設定されている。
【００３２】
また、前述したタオルバーの取付構造と異なる点として、筒状のゴムカバー３０が収納体２５を覆うよう設けていることである。このゴムカバー３０は、上側部３０ａがちょうど収納体２５上部を覆うことのできる内径を有し上端開口部がやや内方にすぼめられた略円筒状に形成され、下側部３０ｂが上側部３０ａ下端を拡幅した同心円筒状に形成され、収納体２５として形成されたフランジ片２７ｃで形成されるリング部を覆うことのできる内径を有し下端開口部がやや内方にすぼめられている。
【００３３】
このよううなタオルバーの取付構造では、次のようにしてタオルバー２１を壁面１４に取り付けるものである。まずタオルバー２１の両側片２２ｂにゴムカバー３０を上側開口部から挿入保持させておく。次にタオルバー２１の周溝２３に２個の取付部材２７の各突片２７ｂの凹部を両側方から嵌合させ、両取付部材２７の対応する両側端面を突き合わせる。このとき、両取付部材２７で構成する収納体２５の収納空間２６にタオルバー２１の膨出部２４が収納されている。この状態で収納体２５の下面、すなわち取付部材２７下面を壁面１４の取り付け箇所に当接させ、前方より取付孔２８にビス脚部を貫通させ、ビス頭部が取付部材２７の凹所に収納されるまでビス脚部を壁面１４にねじ込む。次に両側片２２ｂに被せたゴムカバー３０を先端側の方へずらし、ゴムカバー３０のすぼめた下側開口部を収納体２５の面取り部３１に被せて固定する。次にタオルバー２１のタオル保持部２２ａを水平に保持した状態で、同様に他方の膨出部２４を収納体２５に収納させ、取付孔２８を介して収納体２５を壁面１４にビス固定する。
【００３４】
このようなタオルバーの取付構造では、略コ字型のタオルバー本体２２の両端部に膨出部２４を延設してタオルバー２１を形成し、この膨出部２４を内部に収納保持可能な収納体２５を形成し、この収納体２５を膨出部２４に側方より嵌着可能に縦割り分割した一対の取付部材２７から形成し、この取付部材２７を膨出部２４に両側方より嵌合させて膨出部２４を収納体２５に収納保持した状態で取付部材２７を壁面１４に固着することにより、タオルバー２１を壁面１４に取り付けるため、安価な軟質性樹脂材料を用いてブロー成型によりタオルバー２１を形成しても、タオルバー２１を直接壁面１４にビス固定しているわけではないので、タオルバー２１の壁面１４への取付が容易なものとなっている。さらに棒状のタオルバー本体２２の両端部近傍にそれぞれ短手方向に周溝２３を設けることにより、簡単に膨出部２４を形成できる。また、ゴムカバー３０を取り付けているため、収納体２５や固定ビス２９を見えないようにして外観が向上したものとなっている。
【００３５】
【発明の効果】
請求項１記載の発明では、略コ字型のタオルバー本体の両端部に膨出部を延設してタオルバーを形成し、この膨出部を内部に収納保持可能な収納体を形成し、この収納体を膨出部に側方より嵌着可能に縦割り分割した一対の取付部材から形成し、この取付部材を膨出部に両側方より嵌合させて膨出部を収納体に収納保持した状態で取付部材を壁面に固着することにより、タオルバーを壁面に取り付けるため、安価な軟質性樹脂材料を用いてブロー成型によりタオルバーを形成しても、タオルバーを直接壁面にビス固定しているわけではないので、タオルバーの壁面への取付が容易で確実なものとなっている。
【００３６】
また請求項２記載の発明では、棒状のタオルバー本体の両端部をそれぞれ拡幅することにより、簡単に膨出部を形成できる。
【００３７】
また請求項３記載の発明では、棒状のタオルバー本体の両端部近傍にそれぞれ短手方向に周溝を設けることにより、簡単に膨出部を形成できる。
【００３８】
また請求項４記載の発明では、略半円筒体上端部の内周壁に突片を突設するとともに、略半円筒体下端部の外周壁にフランジ片を突設し、このフランジ片に壁面にビス固定するための取付孔を設けて取付部材を形成しているため、取付部材の形状が簡単なものになって見栄えもよく、取付部材を樹脂成型などにより簡単に形成できる。
【００３９】
また請求項５記載の発明では、一対の取付部材を膨出部に嵌合させたときに各フランジ片の一部が上下に重なり、この重なった部分に連通する取付孔を介して取付部材を壁面にビス固定できるため、ビスの数を削減することができ、取付施工が簡単なものとなるとともに見栄えが向上している。
【図面の簡単な説明】
【図１】本発明の実施形態のタオルバーの取付構造を示す正面図である。
【図２】同上のタオルバーの取付構造を示す要部の分解斜視図である。
【図３】同上のタオルバーの取付構造を示す要部の縦断面図であり、（ａ）は図１中のＡ−Ａ断面図であり、（ｂ）はＢ−Ｂ断面図である。
【図４】本発明の実施形態の同上と異なるタオルバーの取付構造を示す要部の分解斜視図である。
【図５】同上のタオルバーの取付構造を示す要部の縦断面図である。
【符号の説明】
１    タオルバー
２    タオルバー本体
２ａ    タオル保持部
２ｂ    両側片
４    膨出部
５    収納体
６    収納空間
７    取付部材
８    略半円筒体
９    突片
１０    フランジ片
１０ａ    上側のフランジ片
１０ｂ    下側のフランジ片
１１    上側の取付孔
１１ａ    凹所
１１ｂ    貫通孔
１２    下側の取付孔
１３    固定ビス
１４    壁面
２１    タオルバー
２２    タオルバー本体
２２ａ    タオル保持部
２２ｂ    両側片
２３    周溝
２４    膨出部
２５    収納体
２６    収納空間
２７    取付部材
２７ａ    略半円筒体
２７ｂ    突片
２７ｃ    フランジ片
２８    取付孔
２９    固定ビス
３０    ゴムカバー
３０ａ    上側部
３０ｂ    下側部
３１    面取り部
【図１】
2004254868.tif 000003
【図２】
2004254868.tif 000004
【図３】
2004254868.tif 000005
【図４】
2004254868.tif 000006
【図５】
2004254868.tif 000007